(57)【要約】【課題】傘袋束の全体を長尺化することなく、多様な傘に適用可能な傘袋束を提供する。【解決手段】傘を収容可能な傘袋１が束となる袋束であって、シート状の第一袋部１０と、第一袋部１０と対向配置されて袋構造を構成するシート状の第二袋部２０と、第二袋部２０から上端から更に上方に向かって延長されるシート状の延長部３０と、延長部３０に配設され、傘Ｋに対して上下方向に係合可能な係合部４０と、を備えるようにした。【選択図】図１
2019111263.tif 000002
【特許請求の範囲】
【請求項１】
袋構造によって傘を収容可能な傘袋が束ねられる傘袋束であって、
該袋構造に収納される傘の長手方向を上下方向、該上下方向と直交する方向を幅方向と定義する際に、
前記傘袋は、
シート状の第一袋部と、
前記第一袋部と対向配置されて、該第一袋部と協働して上下方向の上端に開口を有する前記袋構造を構成するシート状の第二袋部と、
前記第二袋部から上端から更に上方に向かって延長されるシート状の延長部と、
前記延長部に配設され、前記傘に対して上下方向に係合可能な係合部と、
を備えることを特徴とする、
傘袋束。
【請求項２】
前記係合部は、前記開口を介して前記袋構造内に挿入される前記傘における前記延長部側の側面と係合可能であることを特徴とする、
請求項１に記載の傘袋束。
【請求項３】
前記延長部には、該傘袋を吊り下げるための孔が形成されており、
前記係合部は、前記延長部において、該孔の上端縁から下方向に向かって３／４以内の範囲に設けられることを特徴とする、
請求項１又は２に記載の傘袋束。
【請求項４】
前記係合部は、前記延長部において、該孔の上端縁から下方向に向かって２／３以内の範囲に設けられることを特徴とする、
請求項３に記載の傘袋束。
【請求項５】
前記係合部は、前記延長部において、前記延長部において、該孔の上端縁から下方向に向かって１／２以内の範囲に設けられることを特徴とする、
請求項４に記載の傘袋束。
【請求項６】
前記係合部は、前記延長部において、該延長部の上端から下方向に向かって３／４以内の範囲に設けられることを特徴とする、
請求項１又は２に記載の傘袋束。
【請求項７】
前記係合部は、前記延長部において、該延長部の上端から下方向に向かって２／３以内の範囲に設けられることを特徴とする、
請求項６に記載の傘袋束。
【請求項８】
前記係合部は、前記延長部において、該延長部の上端から下方向に向かって１／２以内の範囲に設けられることを特徴とする、
請求項７に記載の傘袋束。
【請求項９】
前記傘袋束は、開放板を前記開口に挿入して該開口を開く開袋装置に設置されるものであり、
前記延長部は、前記開口と前記係合部に間において、前記開袋板の先端が当接して前記開口までスライドするためのスライド領域が確保されることを特徴とする、
請求項１乃至８のいずれかに記載の傘袋束。
【請求項１０】
前記係合部は、前記延長部において、該延長部の下端から上方向に向かって１０ｍｍ以上離れた位置に設けられることを特徴とする、
請求項１乃至９のいずれかに記載の傘袋束。
【請求項１１】
前記係合部は、前記延長部において、該延長部の下端から上方向に向かって２０ｍｍ以上離れた位置に設けられることを特徴とする、
請求項１乃至１０のいずれかに記載の傘袋束。
【請求項１２】
前記係合部は、前記延長部において、該延長部の下端から上方向に向かって３０ｍｍ以上離れた位置に設けられることを特徴とする、
請求項１乃至１１のいずれかに記載の傘袋束。
【請求項１３】
前記延長部は、幅方向の端から幅方向内側に向かって凹となる凹部が形成されており、
前記係合部は、前記延長部において前記凹部よりも上方側又は可能側にずれた位置に設けられることを特徴とする、
請求項１乃至１２のいずれかに記載の傘袋束。
【請求項１４】
前記延長部は、該傘袋を吊り下げるための孔が形成されており、
前記係合部は、前記延長部において前記孔よりも下方側に設けられることを特徴とする、
請求項１乃至１３のいずれかに記載の傘袋束。
【請求項１５】
前記延長部は、幅方向に延びて該傘袋を切り離すための分離線が形成されており、
前記係合部は、前記延長部において前記分離線よりも下方側に設けられることを特徴とする、
請求項１乃至１４のいずれかに記載の傘袋束。
【請求項１６】
前記係合部は、前記延長部の幅方向に延びる係合縁を有することを特徴とする、
請求項１乃至１５のいずれかに記載の傘袋束。
【請求項１７】
前記係合部は、前記延長部の幅方向に延びる帯状部材であることを特徴とする、
請求項１乃至１６のいずれかに記載の傘袋束。
【請求項１８】
前記帯状部材の帯幅は、２０ｍｍ以下であることを特徴とする、
請求項１７に記載の傘袋束。
【請求項１９】
前記帯状部材の帯幅は、１０ｍｍ以下であることを特徴とする、
請求項１６に記載の傘袋束。
【請求項２０】
前記係合部は、前記延長部の幅方向に延びるスリット又は開口であることを特徴とする、
請求項１乃至１９のいずれかに記載の傘袋束。
【請求項２１】
前記係合部よりも下方向に間隔を空けて配設され、前記傘に対して上下方向に係合可能な下側係合部を備えることを特徴とする、
請求項１乃至２０のいずれかに記載の傘袋束。
【請求項２２】
前記下側係合部は、前記袋構造の開口近傍に配設されることを特徴とする、
請求項２１に記載の傘袋束。
【請求項２３】
前記下側係合部は、前記袋構造の袋内に配設されることを特徴とする、
請求項２１又は２２に記載の傘袋束。
【請求項２４】
前記下側係合部は、幅方向に延びる帯状部材であることを特徴とする、
請求項２１乃至２３のいずれかに記載の傘袋束。
【請求項２５】
請求項１乃至２４のいずれかに記載の前記傘袋束の保持構造であって、
前記延長部における前記第一袋部側の平面に当接可能な保持板を備え、
前記保持板は、前記開口よりも上方に配設され、且つ、前記係合部を覆うことを特徴とする傘袋束の保持構造。
【請求項２６】
請求項１乃至２４のいずれかに記載の前記傘袋束の前記傘袋の前記開口を開く開袋装置であって、
前記傘袋束を保持する保持構造と、
前記開口に挿入されて該開口を開放する開放板と、
前記開袋板の先端を、前記延長部における前記開口よりも上方且つ前記係合部よりも下方に当接させて、前記開口までスライドさせる移動機構と、
を有することを特徴とする開袋装置。
【発明の詳細な説明】
【技術分野】
【０００１】
本発明は、傘を収容する為の傘袋が積層される傘袋束等に関する。
【背景技術】
【０００２】
例えばホテルや店舗等では、店舗等の入り口付近において、雨天時に客が濡れた傘を持ち歩くことによって衣服や床または商品等が濡れるのを防ぐために、濡れた傘を収容するための合成樹脂等よりなる傘袋が配置される。
【０００３】
また、長尺の傘を傘袋に挿入する際に手間がかかるため、傘袋内に傘を容易に挿入できるようにした開袋装置が設置されることも多い（特許文献１参照）。この開袋装置は、複数の傘袋が束状に収容されて、一枚ずつ、傘袋の開口を機械的に開くことが可能となっている。
【０００４】
濡れた傘を収容した傘袋には、雨水が次第に溜まってくる。利用者が、傘の柄を持ちながら歩いていると、雨水の重みによって、傘から傘袋が自然落下する。落下を防ぐために、開口近傍に帯状のベルトが幅方向に形成された傘袋が存在する。傘袋が落下しようとすると、ベルトが、自律的に、傘の骨の端部や傘布の周縁に引っかかることで、傘袋の落下が抑制される（特許文献２参照）。
【先行技術文献】
【特許文献】
【０００５】
【特許文献１】特開平９−２７２５１９号公報
【特許文献２】特許４０２３５５２号
【発明の概要】
【発明が解決しようとする課題】
【０００６】
近年、傘の種類も多様化しており、激しい雨に耐えるため、中軸を長尺化して、傘布の面積を大きくした傘が増えてきている。このような長尺の傘の場合、傘袋の開口に対して、骨の端部（露先）や傘布の外周縁近傍が飛び出してしまう。
【０００７】
その結果、傘袋の開口近傍に形成される落下防止用のベルトが、骨の先端や傘布の周縁に届かないので、雨水の自重で、傘から傘袋が自然落下しやすい。
【０００８】
一方で、単純に傘袋のサイズを長尺に変更すると、既存の開袋装置における、傘袋束の収容スペースに傘袋束が収まらないという問題があった。
【０００９】
本発明は、斯かる実情に鑑みてなされたものであり、傘袋束の全体を長尺化することなく、多様な傘に適用可能な傘袋束等を提供しようとするものである。
【課題を解決するための手段】
【００１０】
上記目的を達成する本発明は、袋構造によって傘を収容可能な傘袋が束ねられる傘袋束であって、該袋構造に収納される傘の長手方向を上下方向、該上下方向と直交する方向を幅方向と定義する際に、前記傘袋は、シート状の第一袋部と、前記第一袋部と対向配置されて、該第一袋部と協働して上下方向の上端に開口を有する前記袋構造を構成するシート状の第二袋部と、前記第二袋部から上端から更に上方に向かって延長されるシート状の延長部と、前記延長部に配設され、前記傘に対して上下方向に係合可能な係合部と、を備えることを特徴とする、傘袋束である。
【００１１】
上記傘袋に関連して、前記係合部は、前記開口を介して前記袋構造内に挿入される前記傘における前記延長部側の側面と係合可能であることを特徴とする。
【００１２】
上記傘袋に関連して、前記延長部には、該傘袋を吊り下げるための孔が形成されており、前記係合部は、前記延長部において、該孔の上端縁から下方向に向かって３／４以内の範囲に設けられることを特徴とする。
【００１３】
上記傘袋に関連して、前記係合部は、前記延長部において、該孔の上端縁から下方向に向かって２／３以内の範囲に設けられることを特徴とする。
【００１４】
上記傘袋に関連して、前記係合部は、前記延長部において、前記延長部において、該孔の上端縁から下方向に向かって１／２以内の範囲に設けられることを特徴とする。
【００１５】
上記傘袋に関連して、前記係合部は、前記延長部において、該延長部の上端から下方向に向かって３／４以内の範囲に設けられることを特徴とする。
【００１６】
上記傘袋に関連して  前記係合部は、前記延長部において、該延長部の上端から下方向に向かって２／３以内の範囲に設けられることを特徴とする。
【００１７】
上記傘袋に関連して、前記係合部は、前記延長部において、該延長部の上端から下方向に向かって１／２以内の範囲に設けられることを特徴とする。
【００１８】
上記傘袋に関連して、前記傘袋は、開放板を前記開口に挿入して該開口を開く開袋装置に設置されるものであり、前記延長部は、前記開口と前記係合部に間において、前記開袋板の先端が当接して前記開口までスライドするためのスライド領域が確保されることを特徴とする。
【００１９】
上記傘袋に関連して、前記係合部は、前記延長部において、該延長部の下端から上方向に向かって１０ｍｍ以上離れた位置に設けられることを特徴とする。
【００２０】
上記傘袋に関連して、前記係合部は、前記延長部において、該延長部の下端から上方向に向かって２０ｍｍ以上離れた位置に設けられることを特徴とする。
【００２１】
上記傘袋に関連して、前記係合部は、前記延長部において、該延長部の下端から上方向に向かって３０ｍｍ以上離れた位置に設けられることを特徴とする。
【００２２】
上記傘袋に関連して、前記延長部は、幅方向の端から幅方向内側に向かって凹となる凹部が形成されており、前記係合部は、前記延長部において前記凹部よりも上方側又は可能側にずれた位置に設けられることを特徴とする。
【００２３】
上記傘袋に関連して、前記延長部は、該傘袋を吊り下げるための孔が形成されており、前記係合部は、前記延長部において前記孔よりも下方側に設けられることを特徴とする。
【００２４】
上記傘袋に関連して、前記延長部は、幅方向に延びて該傘袋を切り離すための分離線が形成されており、前記係合部は、前記延長部において前記分離線よりも下方側に設けられることを特徴とする。
【００２５】
上記傘袋に関連して、前記係合部は、前記延長部の幅方向に延びる係合縁を有することを特徴とする。
【００２６】
上記傘袋に関連して、前記係合部は、前記延長部の幅方向に延びる帯状部材であることを特徴とする。
【００２７】
上記傘袋に関連して、前記帯状部材の帯幅は、２０ｍｍ以下であることを特徴とする。
【００２８】
上記傘袋に関連して、前記帯状部材の帯幅は、１０ｍｍ以下であることを特徴とする。
【００２９】
上記傘袋に関連して、前記係合部は、前記延長部の幅方向に延びるスリット又は開口であることを特徴とする。
【００３０】
上記傘袋に関連して、前記係合部よりも下方向に間隔を空けて配設され、前記傘に対して上下方向に係合可能な下側係合部を備えることを特徴とする。
【００３１】
上記傘袋に関連して、前記下側係合部は、前記袋構造の開口近傍に配設されることを特徴とする。
【００３２】
上記傘袋に関連して、前記下側係合部は、前記袋構造の袋内に配設されることを特徴とする。
【００３３】
上記傘袋に関連して、前記下側係合部は、幅方向に延びる帯状部材であることを特徴とする。
【００３４】
上記目的を達成する本発明は、上記のいずれかに記載の前記傘袋束の保持構造であって、前記延長部における前記第一袋部側の平面に当接可能な保持板を備え、前記保持板は、前記開口よりも上方に配設され、且つ、前記係合部を覆うことを特徴とする傘袋束の保持構造である。
【００３５】
上記目的を達成する本発明は、上記のいずれかに記載の前記傘袋束の前記傘袋の前記開口を開く開袋装置であって、前記傘袋束を保持する保持構造と、前記開口に挿入されて該開口を開放する開放板と、前記開袋板の先端を、前記延長部における前記開口よりも上方且つ前記係合部よりも下方に当接させて、前記開口までスライドさせる移動機構と、を有することを特徴とする開袋装置である。
【発明の効果】
【００３６】
上記手段によれば、傘袋束の全体を長尺化することなく、多様な傘に適用可能な傘袋を得ることができる。また、この傘袋束の保持構造によれば、傘を傘袋に収容する際の収容ミスを抑制することができる。更に、本手段の開袋装置によれば、落下防止機能を有する傘袋の開口を、適切に開袋可能となる。
【図面の簡単な説明】
【００３７】
【図１】本発明の実施の形態に係る傘袋束を構成する傘袋の（Ａ）正面図、（Ｂ）側面断面図、（Ｃ）分離線に沿って分離した状態の正面図である。
【図２】（Ａ）は、同傘袋に短尺の傘を収容した状態を示す部分拡大図であり、（Ｂ）は、同傘袋に長尺の傘を収容した状態を示す拡大拡大図である。
【図３】（Ａ）は複数の傘袋が束ねられた傘袋束を示す側面断面図であり、（Ｂ）は開袋装置の全体構成を示す側面図である。
【図４】（Ａ）は開袋装置の平面図であり、（Ｂ）は開袋装置の側面拡大断面図である。
【図５】（Ａ）乃至（Ｃ）は開袋装置の側面拡大断面図である。
【図６】同傘袋の変形例を示す（Ａ）正面図、（Ｂ）側面断面図である。
【図７】同傘袋の変形例を示す（Ａ）正面図、（Ｂ）側面断面図である。
【図８】同傘袋の変形例を示す（Ａ）正面図、（Ｂ）側面断面図である。
【図９】同傘袋の変形例を示す（Ａ）正面図、（Ｂ）側面断面図である。
【図１０】同傘袋の変形例を示す（Ａ）正面図、（Ｂ）側面断面図である。
【発明を実施するための形態】
【００３８】
以下、本発明の実施の形態を添付図面を参照して説明する。
【００３９】
＜全体構成＞
図１参照して、本発明の実施の形態における傘袋束を構成する傘袋１の全体構成について説明する。傘袋１は、図１に示すように、第一袋部１０と、第二袋部２０と、延長部３０と、第一係合部４０（上側係合部）と、第二係合部６０（下側係合部）を備える。なお、以下の説明において、傘袋１の長手方向を上下方向（開口側を上方向、底側を下方向）Ｈ、この長手方向と直交する方向を幅方向Ｗと定義する。なお、この傘袋１は、束ねられる前の状態又は傘袋束から切り離される前の状態を意味している。
【００４０】
＜第一袋部＞
第一袋部１０は、傘袋１において傘を収容する袋構造の正面側の面を構成する。第一袋部１０は、例えば、長方形状、より詳細には上下方向に延びる帯形状の軟質シートにより構成される。軟質シートの材料は、例えば、ポリプロピレン等の熱可塑性樹脂が挙げられるが、これに限定されるものではなく、その他の合成樹脂であってもよい。軟質シートの説明は、以下においても適用される。
【００４１】
＜第二袋部＞
第二袋部２０は、傘袋１の袋構造の背面側の面を構成するものである。第二袋部２０は、例えば、第一袋部１０と略同形および略同サイズの長方形状、より詳細には帯形状の軟質シートにより構成される。
【００４２】
＜袋構造＞
第一袋部１０および第二袋部２０は、幅方向両端の縁同士またはその近傍同士が互いに繋がっている。また、第一袋部１０および第二袋部２０の下端の縁同士またはその近傍同士も互いに繋がっている。結果、第一袋部１０および第二袋部２０により袋構造が構成される。なお、第一袋部１０および第二袋部２０の上端の縁は互いに繋がっておらず、袋構造の開口１５を形成している。開口１５は、第一袋部１０及び第二袋部２０の幅方向両端まで広がっており、これにより、開口１５の上下方向に位置が一義的に決定される。
【００４３】
第一袋部１０および第二袋部２０の周囲は、第一袋部１０および第二袋部２０の輪郭を画定するカッターによる切断作業と同時に、このカッターに熱を加えることで互いに溶着（融着）される。しかし、製造手法はこれに限定されず、接着等のその他の方法により繋がってもよい。また、第一袋部１０および第二袋部２０の幅方向両端の縁同士またはその近傍同士、および下端の縁同士またはその近傍同士は、少なくとも一部が繋がっていればよい。雨水を漏らさない観点では、全部が繋がっていることが望ましい。
【００４４】
＜延長部＞
延長部３０は、第二袋部２０の上端から更に上方側へ延長されるものである。延長部３０は、例えば、幅方向の長さが第二袋部２０と略同じであり、上下方向の長さが第二袋部２０よりも短い長方形状の軟質シートにより構成される。延長部３０と第二袋部２０とは、一枚の軟質シートで構成されてもよいし、別々の独立した軟質シートが結合されて構成されてもよい。延長部３０の上下方向の長さは、７０ｍｍ以上、１５０ｍｍ以下であることが好ましく、望ましくは８０ｍｍ〜１００ｍｍに設定される。本実施形態では９０ｍｍとなる。
【００４５】
延長部３０は、上下方向の途中において、幅方向に延びる分離線３０Ａが形成される。この分離線３０Ａを境界として、袋構造の開口１５に近い近位側延長部３０Ｂと、開口１５から遠い遠位側延長部３０Ｃとに分離される。このような分離線３０Ａは、例えば、ミシン目の切り取り線により構成される。近位側延長部３０Ｂは、延長部３０の上下方向において第二袋部２０の上端に連続する。また、遠位側延長部３０Ｃは、近位側延長部３０Ｂの上端に連続する。
【００４６】
遠位側延長部３０Ｃには、係合穴１３Ｄが設けられる。例えば、（図示しない）傘袋を吊り下げて保持する為の袋保持構造が有する係合棒が、係合穴１３Ｄに挿入されることで、傘袋１が、吊り下げられるようにして保持される。なお、本実施形態では、係合穴１３Ｄは、遠位側延長部３０Ｃと近位側延長部３０Ｂの境界（分離線３０Ａ）に跨るようにして形成される。
【００４７】
延長部３０は、幅方向の両端から幅方向内側に向かって凹となる一対の凹部３２が形成される。この凹部３２は、いわゆる半円弧形状の切り欠きのようになる。一対の凹部３２が、上下方向に沿って同じ位置に形成されるので、一対の凹部３２近傍の延長部３０の幅が最小になる。凹部３２の基底部３２Ａは、延長部３０の下端（開口１５）よりも上方に設定される。このようにすると、傘袋１に上下方向の張力が作用した際に、基底部３２Ａに応力が集中する。換言すると、延長部３０や第一及び第二袋部１０、２０において、凹部３２以外の場所で応力集中が生じることを積極的に回避する。とりわけ、開口１５の両端に応力集中が生じると、開口１５が裂けることで第一袋部１０と第二袋部２０の上端が互いに離反しやすい。この凹部３２は、開口１５が裂けることを抑制する役割を担う。
【００４８】
＜第一係合部（上側係合部）＞
延長部３０には、傘に対して上下方向に係合可能な第一係合部４０が形成される。この第一係合部４０は、幅方向に延びる帯状部材４２となっている。第一係合部４０は、帯状部材４２が撓むことで、図２に示すように、開口１５を介して袋構造内に挿入される傘Ｋに対して、延長部３０側の側面と係合可能であることが特徴的となる。また、帯状部材４２の長さ（幅方向長さ）は、延長部３０の幅と略一致しており、帯状部材４２の長手方向両端が、延長部３０の幅方向両端の縁又はその近傍に溶着される。溶着以外にも接着等のその他の方法により繋がってもよい。なお、この帯状部材４２は、第一袋部１０から独立した部材であることが好ましい。第一袋部１０の開袋時の動作に、帯状部材４２が連動することを回避する為である。なお、本実施形態では、帯状部材４２の長手方向両端が、延長部３０の両端と溶着している。
【００４９】
帯状部材４２の下側の縁は、幅方向に延びる第一係合縁４０Ａとなる。この係合縁４０Ａは、後述するように、傘に対して傘袋１が自然落下しようとする際に、傘と係合して落下を阻止する縁となる。
【００５０】
帯状部材４２の帯幅（上下方向長さ）は、２０ｍｍ以下であることが好ましく、より望ましくは１０ｍｍ以下とし、本実施形態では５ｍｍとなる。帯状部材４２の帯幅が狭い程、自身が軟らかくなり、接合部分となる両端を除いて延長部３０から離反しやすくなる（浮き上がりやすくなる）。一方、帯幅は２ｍｍ以上に設定される。細すぎると、強度が不足して切れやすいからである。なお、帯状部材４２の帯幅が大きすぎると、静電気等によって延長部３０と密着したり、剛性が高くなって延長部３０から離れにくくなったりする。
【００５１】
長尺の傘と係合させるためには、できる限り、傘袋１の上方に第一係合部４０を設けることが望ましい。そこで、第一係合部４０の帯状部材４２は、延長部３０において、その上端から下方向に向かって３／４となる領域Ｔ１の範囲内に設けられることが好ましい。より望ましくは、上端から下方向に向かって２／３となる領域Ｔ２の範囲内に第一係合部４０が設けられる。更に好ましくは、上端から下方向に向かって１／２となる領域Ｔ３の範囲内に第一係合部４０が設けられるようにする。本実施形態では、範囲Ｔ３の範囲内に形成される。具体的な寸法として、第一係合部４０の帯状部材４２は、延長部３０において、その上端から下方向に向かって３０ｍｍ〜７０ｍｍの範囲内に設けられることが好ましい。より望ましくは、上端から下方向に向かって４０ｍｍ〜５５ｍｍの範囲内に第一係合部４０が設けられる。
【００５２】
同様に、長尺の傘と係合させるためには、できる限り、傘袋１の上方に第一係合部４０を設けることが望ましい。そこで、第一係合部４０の帯状部材４２は、延長部３０において、係合穴１３Ｄの上端縁から下方向に向かって３／４となる領域Ｚ１の範囲内に設けられることが好ましい。より望ましくは、係合穴１３Ｄの上端縁から下方向に向かって２／３となる領域Ｚ２の範囲内に第一係合部４０が設けられる。更に好ましくは、係合穴１３Ｄの上端縁から下方向に向かって１／２となる領域Ｚ３の範囲内に第一係合部４０が設けられるようにする。本実施形態では、範囲Ｚ３の範囲内に形成される。具体的な寸法として、第一係合部４０の帯状部材４２は、係合孔１３Ｄの上端縁から下方向に向かって１５ｍｍ〜５５ｍｍの範囲内に設けられることが好ましい。より望ましくは、上端から下方向に向かって２５ｍｍ〜４０ｍｍの範囲内に第一係合部４０が設けられる。
【００５３】
別の観点で説明すると、第一係合部４０の帯状部材４２の第一係合縁４０Ａは、延長部３０の下端（つまり開口１５）から、できる限り上方に離れることが望ましい。そこで、第一係合部４０の第一係合縁４０Ａは、開口１５から上方向に向かって１０ｍｍ以上離れた位置に設けられることが好ましく、より望ましくは、２０ｍｍ以上離れた位置に設けられるようにし、更に望ましくは、３０ｍｍ以上離れた位置に設けられるようにする。
【００５４】
また、第一係合部４０は、延長部３０において、係合孔１３Ｄよりも下側に設けられる。係合孔１３Ｄと重なると、吊り下げ時に、係合孔１３Ｄに挿入される係合棒と干渉して、帯状部材４２が切れたりする可能性があるからである。帯状部材４２が湾曲して、係合孔１３Ｄと重なってしまう確率を下げるには、係合孔１３Ｄの下縁よりも下側に向かって５ｍｍ以上離れた場所に、帯状部材４２の上側縁を位置させることが好ましい。望ましくは１０ｍｍ以上離れるようにし、更に望ましくは１５ｍｍ以上離れるようにする。
【００５５】
更に、第一係合部４０は、延長部３０において、分離線３０Ａよりも下側に設けられる。分離線３０Ａと重なると、分離時に、帯状部材４２が切れたりする可能性があるからである。また、図１（Ｃ）に示すように、傘袋１を分離線３０Ａで分離させた際に、近位側延長部３０Ｂの上端縁（分離線３０Ａ）近傍は、剛性が低くなって、裏側（傘から離れる方向）に折れ曲がる可能性がある。従って、第一係合部４０の第一係合縁４０Ａは、分離線３０Ａから下側に離れていることが好ましい。具体的には、分離線３０Ａから下側に５ｍｍ以上離れていることが好ましい。より望ましくは１０ｍｍ以上、更に望ましくは１５ｍｍ以上離れるようにする。
【００５６】
また、この傘袋１が、開袋装置２００（図３及び図４参照）にセットされることを想定すると、延長部３０には、開袋装置２００の開放板２１０の先端２１０Ａが当接し、更に、この先端２１０Ａが開口１５までスライドする為のスライド領域Ｓが確保される。つまり、このスライド領域Ｓは、開口１５から始まり、上方に向かって所定の距離を有する領域となる。スライド領域Ｓの上下方向長さは、例えば、１０ｍｍ以上であることが好ましく、望ましくは２０ｍｍ以上であり、より望ましくは３０ｍｍ以上となる。従って、第一係合部４０は、このスライド領域Ｓよりも上方側に配置される。このようにすると、第一係合部４０は、開放版２１０の先端２１０Ａと干渉しないので、開袋装置２００による円滑な開袋動作が可能となる。なお、後述する第二係合部６０は、開放版２１０の先端２１０Ａと係合して、第二袋部２０から積極的に離反されるようになっている。つまり、第一係合部４０と第二係合部６０は、上下方向にずれた位置で、傘を両側から挟み込む構造となる。なお、第二係合部６０が、傘に対して第一係合部４０と同じ側に位置するようにしても良い。
【００５７】
更に第一係合部４０は、延長部３０の一対の凹部３２から、上方又は下方にずれた位置に配置される。このようにすると、延長部３０に上下方向の張力が作用した際に、第一係合部４０の両端に応力が集中して、第一係合部４０が延長部３０から引き裂かれることを抑制できる。本実施形態では、第一係合部４０が、凹部３２よりも上方側に設けられている。
【００５８】
＜第二係合部（下側係合部）＞
【００５９】
第一係合部４０よりも下方には、傘に対して上下方向に係合可能な第二係合部６０が形成される。この第一係合部６０は、幅方向に延びる帯状部材６２となっている。帯状部材６２の長さ（幅方向長さ）は、第一袋部１０及び第二袋部２０の幅と略一致している。帯状部材６２の長手方向両端は、第一袋部１０及び第二袋部２０で形成される袋構造の袋内において、幅方向両端の縁又はその近傍に溶着される。
【００６０】
帯状部材６２の下側の縁は、幅方向に延びる第二係合縁６０Ａとなる。この第二係合縁６０Ａは、後述するように、傘に対して傘袋１が自然落下しようとする際に、傘と係合して落下を阻止する縁となる。
【００６１】
帯状部材６２の帯幅（上下方向長さ）は、２０ｍｍ以下であることが好ましく、より望ましくは１０ｍｍ以下とし、本実施形態では５ｍｍとなる。帯状部材６２の帯幅が狭い程、自身が軟らかくなり、接合部分となる両端を除いて袋構造の内周面から離反しやすくなる。一方で、帯幅は２ｍｍ以上に設定される。細すぎると、強度が不足して切れやすくなる。なお、帯状部材６２の帯幅が大きすぎると、静電気等によって第一又は第二袋部１０、２０と密着したり、剛性が高くなって袋構造の内周面から離れにくくなったりする。
【００６２】
なお、第二係合部６０は、袋構造の開口１５近傍に配設されることが好ましく、具体的には、開口１５から下側に向かって４０ｍｍ以内の範囲に、第二係合縁６０Ａが位置するようにする。なお、図１０に示すように、延長部３０側において、開口１５と接近した位置に第二係合部６０を配置しても良い。つまり、第二係合縁６０Ａの位置が、開口１５と一致又はそれよりも上側に配置されても良い。ただし、第一係合部４０よりも下側の第二係合部６０が、開口１５から上方に２０ｍｍ以上離れてしまうと、開袋装置２００の開放板２１０が、開口１５を時に、第二係合部６０を切断してしまう可能性が高まる。
【００６３】
また、第二係合部６０は、凹部３２よりも下方に、ずれた位置に配置される。このようにすると、第二袋部２０及び延長部３０に上下方向の張力が作用した際に、第二係合部６０の両端に応力が集中して、第二係合部６０が袋構造から引き裂かれることを抑制できる。
【００６４】
＜傘袋の作用＞
次に、図２を参照して、傘袋１の作用について説明する。図２（Ａ）は、中軸が短め（又は通常）の傘Ｋを、傘袋１に収容した状態を示す。なお、傘袋１では、分離線３０Ａに沿って分離された後の状態となっている。傘Ｋを、傘袋１の開口１５から袋構造内に挿入する際、第二係合部６０を、第一袋部１０側に接近させた状態とする。つまり、一体化している第二袋部２０及び延長部３０に対して、第一袋部１０を離反させて開口１５を開放する際、第二係合部６０も第二袋部２０から離反させる。その結果、開口１５から挿入される傘Ｋは、第二係合部６０と第二袋部２０の間に存在する。傘布の周縁ＫＳの一部（特に、傘布の折り畳み時の山線ＫＭの端部近傍の周縁ＫＳ）は、袋構造内に収容されることから、その周縁ＫＳに第二係合部６０が上下方向に係合する。
【００６５】
延長部３０に設けられる第一係合部４０は、袋構造に収容される傘Ｋよりも延長部３０側に位置する。傘Ｋによって袋構造が押し広げられると、第一袋部１０と第二袋部２０が円筒形状となるので、延長部３０も半円筒形状となる。従って、延長部３０の幅方向両端に溶着される帯状部材４２（第二係合部６０）は、自然と弛むことで、第二係合部６０から離反するように前方に押し出されて、傘Ｋの中軸や、骨の先端、傘布の周縁に接近する。従って、傘Ｋと第二係合部６０が、上下方向に係合可能な状態となる。特に、第一係合部４０は、開口１５から上方に離れた位置に設けられるため、傘Ｋの骨の先端（露先）近傍と係合しやすい。このことからわかる様に、第一係合部４０は、延長部３０から前方に撓むことが好ましいため、幅方向の両端近傍に限って、延長部３０と繋がっていることが好ましい。
【００６６】
なお、第一係合部４０については、延長部２０から敢えて離反させることにより、第一係合部４０と延長部２０の間に傘Ｋを挿入しても良いが、ここで紹介する事例では、そのようなことは行わない。後述する開袋装置２００を用いる際、開口１５と同時に、上方に位置する第一係合部４０を開くことは容易ではない。また、帯状部材４２の帯幅を細くすることで、延長部３０に対して前面側に撓み易くしているので、帯状部材４２の強度が比較的低いため、帯状部材４２と第一袋部１０の間に傘Ｋを挿入しようとすると、帯状部材４２が切れやすい。勿論、帯幅を大きくして強度を高めれば、第一係合部４０と延長部２０の間に傘Ｋを挿入することも可能である。
【００６７】
図２（Ｂ）は、石突や中軸が比較的長い長尺の傘Ｋを、傘袋１に収容した状態を示す。開口１５から挿入される傘Ｋは、第二係合部６０と第二袋部２０の間に存在する。長尺となる傘Ｋは、傘布の半径も大きいため、その周縁ＫＳは、袋構造から上方に飛び出してしまう。従って、第二係合部６０は、傘Ｋとほとんど係合しないか、または、傘Ｋの傘布を巻き付けるバンドＢと係合し得る。
【００６８】
延長部３０に設けられる第一係合部４０は、袋構造に収容される傘Ｋよりも延長部３０側に位置して、自然と弛むことで、第二係合部６０から離反するように前方に押し出される。従って、袋構造から上方に飛び出した傘布の周縁ＫＳに対して、上下方向に係合可能な状態となる。特に、第一係合部４０は、開口１５から上方に離れた位置に設けられるため、長尺の傘Ｋの周縁ＫＳ近傍と係合しやすい。
【００６９】
以上の通り、本実施形態の傘袋１によれば、短尺の傘Ｋの場合、図２（Ａ）に示すように、第一係合部４０と第二係合部６０の双方が、傘Ｋと上下方向に係合するので、傘袋１の自然落下を高度に抑制できる。更に、第一係合部４０と第二係合部６０が、上下方向に離れているので、傘Ｋにおいて、様々な部位と係合することが可能となる。一方、長尺の傘Ｋであっても、図２（Ｂ）に示すように、袋構造から飛び出した傘布と、第一係合部４０を係合させることができるので、傘袋１の自然落下を抑制することが可能となる。つまり、多様な種類の傘Ｋに対応可能となっている。
【００７０】
＜保持構造＞
次に、図３以降を参照して、傘袋１の保持構造１００と、この保持構造１００が適用される開袋装置２００について説明する。なお、図３（Ａ）に示すように、傘袋１は、複数枚が積層され、延長部３０における遠位側延長部３０Ｃ（つまり、分離線３０Ａよりも上方側）を利用して、積層方向に互いに結合される。この結合部３０Ｆは、図１に示すように、幅方向の両端近傍に形成された一対の溶着部分となる。なお、ここでは、複数枚が積層された状態の傘袋１を「傘袋束９０」と称する。図３（Ａ）では、説明の便宜上、シートの厚みを大きく、第一袋部１０と第二袋部２０が離れており、第一係合部４０も延長部３０から離れている状態を示しているが、実際の傘袋１は、５μｍ〜２０μｍ程度の極めて薄いシート材で構成されているため、積層状態になると、全てのシートが互いに密着した状態となる。
【００７１】
図４（Ａ）に示すように、保持構造１００は、傘袋束９０の一対の係合穴１３Ｄに挿入される一対の係合棒１１０と、傘袋束９０において最も前面に位置する傘袋１と当接可能な前面側保持板１２０と、傘袋束９０において最も後面に位置する傘袋１と当接可能な後面側保持板１３０を有する。なお、ここでは特に図示しないが、後面側保持板１３０は、板バネやコイルばね等によって、前面側に付勢されている。
【００７２】
図４（Ｂ）に示すように、前面側保持板１２０は、延長部３０の前面側に当接し、開口１５よりも上方に配設され、第一係合部４０の少なくとも一部（ここでは全部）を覆うようになっている。つまり、前面側保持板１２０は、開口１５を露出させつつも、第一係合部４０の帯状部材４２の一部（少なくとも幅方向中央近傍）を覆うようにしている。傘袋束９０をこのように保持すると、傘Ｋを開口１５内に挿入する途中で、第一係合部４０と傘Ｋが引っかかって、第一係合部４０が切れてしまう事態を抑制できる。一方、傘Ｋを挿入した後に、分離線３０Ａによって最前面の傘袋１を分離すると、第一係合部４０が露出して、図２に示すように、傘Ｋと上下方向に係合可能となる。
【００７３】
＜開袋装置＞
保持構造１００を備える開袋装置２００は、図３（Ｂ）に示すように、傘袋束９０の前面側において、傘袋１の長手方向に沿って上下方向に延びる筒状空間となる傘挿入空間２４０と、傘挿入空間２４０の上方に配設される傘挿入口２６０と、傘袋１の開口１５に挿入されて該開口１５を開放する開放板２１０と、この開放板２１０を移動（揺動）させる移動機構２３０を備える。傘挿入空間２４０は、図４（Ｂ）に示すように、上下方向に延びる傘袋束９０と、傘袋束９０と距離を空けて対向する案内面２４２によって挟まれた筒状空間となる。傘袋束９０と案内面２４２の間においける幅方向の一方には、上下方向に沿って延びるスリット２４０Ａが確保される。このスリット２４０Ａを利用して、傘袋１に収容された傘Ｋを、軸直角方向（傘袋１の幅方向）に抜き出すことが可能となる。即ち、この傘挿入空間２４０は、完全な筒形状ではなく、側面が開口した部分筒形状となる。
【００７４】
図４に示すように、移動機構２３０は、傘挿入口２６０の下側に配設されて傘挿入口２６０を塞ぐ揺動板２３２と、傘挿入口２６０の近傍に固定されて揺動板２３２を上下方向に揺動させる基端側ヒンジ２３４と、揺動板２３２を上方に付勢して揺動板２３２が傘挿入口２６０を塞ぐ姿勢を維持する基端側捩じりばね２３６を有する。結果、揺動板２３２は、基端側捩じりばね２３６の力に抗しながら、傘挿入口２６０を開放するように下側に揺動可能となる。更に移動機構２３０は、揺動板２３２の先端（揺動端）側に配設されて開放板２１０を上下方向に揺動自在に保持する先端側ヒンジ２３８と、先端側ヒンジ２３８に設けられて、揺動板２３２を傘袋１側に付勢する先端側捩じりばね２３９を有する。傘Ｋを傘挿入口２６０から下方に挿入すると、基端側捩じりばね２３６の付勢力に抗して、傘Ｋの石突によって、揺動板２３２を押し下げられる（図５参照）。結果、揺動板２３２の揺動と共に、開放板２１０も下側にスライドする。
【００７５】
開放板２１０は、開袋前の姿勢として、先端側ヒンジ２３８に軸支される基端側が上方に位置し、傘袋１と当接する先端２１０Ａ側が下方に位置するように傾斜される。先端側捩じりばね２３９は、開放板２１０の先端２１０Ａが傘袋１に接近するように、図４（Ｂ）の時計回り方向に開放板２１０を付勢する。
【００７６】
次に、図４及び図５を参照して、開袋装置２００の開袋動作について説明する。図４（Ｂ）に示すように、開袋前の状態において、先端２１０Ａは、傘袋１におけるスライド領域Ｓの上端に押圧される（開放板２１０の先端２１０Ａが当接する場所が、傘袋１におけるスライド領域Ｓの上端となる）。この際、保持構造１００の前面側保持板１２０によって、最前の傘袋１の第一係合部４０が覆われているので、開放板２１０の先端２１０Ａが第一係合部４０と干渉しない。結果、開放板２１０によって第一係合部４０が切断されない。
【００７７】
図５（Ａ）に示すように、傘Ｋの石突によって、移動機構２３０の揺動板２３２を押し下げると、傘挿入口２６０が開くと同時に、開放板２１０の先端２１０Ａが、傘Ｋのスライド領域Ｓを下側に摺動する。傘Ｋによって揺動板２３２を更に押し下げると、図５（Ｂ）に示すように、開放板２１０の先端２１０Ａが、傘袋１の開口１５内に進入する。この際、先端２１０Ａは、第二係合部６０と第二袋部２０の間に進入する。
【００７８】
図５（Ｃ）に示すように、傘Ｋによって揺動板２３２を更に押し下げると、開放板２１０の先端２１０Ａが、傘袋束９０から離れる方向、即ち、傘挿入空間２４０における案内面２４２側に移動する。結果、第一袋部１０及び第二係合部６０の幅方向中央近傍が、第二袋部２０から手前側に引き離される結果、開口１５が大きく開き、これと同時に、傘Ｋの先端が開口１５内に挿入される。その後は、利用者が傘Ｋを下側に押し込むことで、傘袋１の袋構造に傘Ｋの傘布が収容される。その後、傘Ｋをスリット２４０Ａから幅方向に取り出すと、分離線３０Ａによって傘袋１が引きちぎられて、図２の状態となる。
【００７９】
＜変形例＞
上記実施形態の傘袋１は、延長部３０と重なるようにして、第一係合部４０の帯状部材４２が配設される場合を例示したが、本発明はこれに限定されない。例えば図６に示すように、延長部３０に、幅方向に延びるスリット又は開口４４を形成することで、この開口４４を第一係合部４０とすることができる。この場合、開口４４の上側の縁が、傘Ｋと上下方向に係合可能な係合縁４０Ａとなる。
【００８０】
また例えば図７に示すように、延長部３０に対して、幅方向に延びる互いに平行な一対のスリット４５を形成し、この一対のスリット４５に挟まれる帯状領域を、帯状部材４２（第一係合部４０）とすることができる。この場合、下側のスリット４５が、傘Ｋと上下方向に係合可能な係合縁４０Ａとなる。
【００８１】
更に例えば図８に示すように、延長部３０の上端を前面側に折り返して二重構造とし、その前面側のシートを第一係合部４０とすることもできる。第一係合部４０の幅方向両縁は、延長部３０と接合される。換言すると、第一係合部４０の帯状部材の幅を大きくして、その上端を延長部３０の上端近傍と結合させても良い。この場合、第一係合部４０側にも、分離線３０Ａと係合孔３０Ｆを形成する。分離線３０Ａによって、第一係合部４０が分離されると、傘袋１の上端に、帯状部材４２が創出される。
【００８２】
また更に、上記実施形態では、係合孔３０Ｆが二個形成される場合を例示したが、本発明はこれに限定されず、図９に示すように、幅方向中央に一つの係合孔Ｆが形成されるようにしても良い。この際、係合孔３０Ｆは、幅方向に長い長孔とすることが好ましく、保持機構１００によって保持される際の傘袋束９０の保持姿勢が安定する。
【００８３】
尚、本発明は、上記した実施の形態に限定されるものではなく、本発明の要旨を逸脱しない範囲内において種々変更を加え得ることは勿論である。
【符号の説明】
【００８４】
１    傘袋
１０    第一袋部
１５    開口
２０    第二袋部
３０    延長部
４０    第一係合部
６０    第二係合部
１００    保持構造
２００    開袋装置
２１０    開放板
２１０Ａ  先端
【図１】
2019111263.tif 000003
【図２】
2019111263.tif 000004
【図３】
2019111263.tif 000005
【図４】
2019111263.tif 000006
【図５】
2019111263.tif 000007
【図６】
2019111263.tif 000008
【図７】
2019111263.tif 000009
【図８】
2019111263.tif 000010
【図９】
2019111263.tif 000011
【図１０】
2019111263.tif 000012
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
袋構造によって傘を収容可能な傘袋が束ねられる傘袋束であって、
該袋構造に収納される傘の長手方向を上下方向、該上下方向と直交する方向を幅方向と定義する際に、
前記傘袋は、
シート状の第一袋部と、
前記第一袋部と対向配置されて、該第一袋部と協働して上下方向の上端に開口を有する前記袋構造を構成するシート状の第二袋部と、
前記第二袋部から上端から更に上方に向かって延長されるシート状の延長部と、
前記延長部に配設され、前記傘に対して上下方向に係合可能な係合部と、
を備え、
前記延長部は、幅方向の端から幅方向内側に向かって凹となる凹部が形成されており、
前記係合部は、前記延長部において前記凹部よりも上方側又は下方側にずれた位置に設けられることを特徴とする、
傘袋束。
【請求項２】
袋構造によって傘を収容可能な傘袋が束ねられる傘袋束であって、
該袋構造に収納される傘の長手方向を上下方向、該上下方向と直交する方向を幅方向と定義する際に、
前記傘袋は、
シート状の第一袋部と、
前記第一袋部と対向配置されて、該第一袋部と協働して上下方向の上端に開口を有する前記袋構造を構成するシート状の第二袋部と、
前記第二袋部から上端から更に上方に向かって延長されるシート状の延長部と、
前記延長部に配設され、前記傘に対して上下方向に係合可能な係合部と、
前記係合部よりも下方向に間隔を空けて配設され、前記傘に対して上下方向に係合可能な下側係合部と、
を備えことを特徴とする、
傘袋束。
【請求項３】
前記下側係合部は、前記袋構造の開口近傍に配設されることを特徴とする、
請求項２に記載の傘袋束。
【請求項４】
前記下側係合部は、前記袋構造の袋内に配設されることを特徴とする、
請求項２又は３に記載の傘袋束。
【請求項５】
前記下側係合部は、幅方向に延びる帯状部材であることを特徴とする、
請求項２乃至４のいずれかに記載の傘袋束。
【請求項６】
袋構造によって傘を収容可能な傘袋が束ねられる傘袋束の保持構造であって、
該袋構造に収納される傘の長手方向を上下方向、該上下方向と直交する方向を幅方向と定義する際に、
前記傘袋束における前記傘袋は、
シート状の第一袋部と、
前記第一袋部と対向配置されて、該第一袋部と協働して上下方向の上端に開口を有する前記袋構造を構成するシート状の第二袋部と、
前記第二袋部から上端から更に上方に向かって延長されるシート状の延長部と、
前記延長部に配設され、前記傘に対して上下方向に係合可能な係合部と、
を備え、
前記保持構造は、前記延長部における前記第一袋部側の平面に当接可能な保持板を備え、
前記保持板は、前記開口よりも上方に配設され、且つ、前記係合部を覆うことを特徴とする、
傘袋束の保持構造。
【請求項７】
袋構造によって傘を収容可能な傘袋が束ねられる傘袋束の前記傘袋の開口を開く開袋装置であって、
該袋構造に収納される傘の長手方向を上下方向、該上下方向と直交する方向を幅方向と定義する際に、
前記傘袋束における前記傘袋は、
シート状の第一袋部と、
前記第一袋部と対向配置されて、該第一袋部と協働して上下方向の上端に前記開口を有する前記袋構造を構成するシート状の第二袋部と、
前記第二袋部から上端から更に上方に向かって延長されるシート状の延長部と、
前記延長部に配設され、前記傘に対して上下方向に係合可能な係合部と、
を備え、
前記開袋装置は、更に、
前記傘袋束を保持する保持構造と、
前記開口に挿入されて該開口を開放する開放板と、
前記開放板の先端を、前記延長部における前記開口よりも上方且つ前記係合部よりも下方に当接させて、前記開口までスライドさせる移動機構と、
を有することを特徴とする開袋装置。